(57)【要約】【課題】ｘＤＳＬサービス申込み時や変更時の接続変更を容易に行うことが可能なｘＤＳＬ回線収容機構を提供する。【解決手段】加入者宅から局舎までの伝送路である加入者回線１０１〜１０６はＭＤＦ１を介して収容される。ＭＤＦ１から取出された回線はｘＤＳＬスプリッタ２によって電話回線１０１ｂ〜１０６ｂとｘＤＳＬ回線１０１ａ〜１０６ａとに分離される。電話回線１０１ｂ〜１０６ｂは加入者交換機３を介して図示せぬ電話交換網に収容され、ｘＤＳＬ回線１０１ａ〜１０６ａは回線スイッチ４を介してＤＳＬＡＭ装置５１〜５３に収容される。【選択図】      図１
2004193915.tif 000002
【特許請求の範囲】
【請求項１】
スプリッタでｘＤＳＬ（ｘ  Ｄｉｇｉｔａｌ  Ｓｕｂｓｃｒｉｂｅｒ  Ｌｉｎｅ）回線と電話回線とに分離するｘＤＳＬ回線収容機構であって、前記スプリッタで分離された前記ｘＤＳＬ回線をサービスプロバイダのｘＤＳＬ収容装置への出力回線に選択的に接続する回線スイッチを有することを特徴とするｘＤＳＬ回線収容機構。
【請求項２】
前記ｘＤＳＬ収容装置に接続された監視用回線を収容しかつ少なくともｘＤＳＬ回線の監視を行う回線品質監視端末を含むことを特徴とする請求項１記載のｘＤＳＬ回線収容機構。
【請求項３】
前記回線品質監視端末は、ユーザからの設定内容に基づいて前記回線スイッチの設定を行うことを特徴とする請求項２記載のｘＤＳＬ回線収容機構。
【請求項４】
加入者端末からの前記回線スイッチの設定要求を受付けかつその設定要求に基づいて前記回線スイッチの設定を行う設定サーバを含むことを特徴とする請求項１から請求項３のいずれか記載のｘＤＳＬ回線収容機構。
【請求項５】
スプリッタでｘＤＳＬ（ｘ  Ｄｉｇｉｔａｌ  Ｓｕｂｓｃｒｉｂｅｒ  Ｌｉｎｅ）回線と電話回線とに分離するｘＤＳＬ回線収容機構のｘＤＳＬ回線収容方法であって、前記スプリッタで分離された前記ｘＤＳＬ回線を回線スイッチに接続し、前記回線スイッチによって前記ｘＤＳＬ回線をサービスプロバイダのｘＤＳＬ収容装置への出力回線に選択的に接続することを特徴とするｘＤＳＬ回線収容方法。
【請求項６】
前記ｘＤＳＬ収容装置に接続された監視用回線を回線品質監視端末に収容し、前記回線品質監視端末にて少なくともｘＤＳＬ回線の監視を行うことを特徴とする請求項５記載のｘＤＳＬ回線収容方法。
【請求項７】
前記回線品質監視端末は、ユーザからの設定内容に基づいて前記回線スイッチの設定を行うことを特徴とする請求項６記載のｘＤＳＬ回線収容方法。
【請求項８】
加入者端末からの前記回線スイッチの設定要求をインタネットを介して設定サーバで受付け、前記設定サーバがその設定要求に基づいて前記回線スイッチの設定を行うことを特徴とする請求項５から請求項７のいずれか記載のｘＤＳＬ回線収容方法。
【発明の詳細な説明】
【０００１】
【発明の属する技術分野】
本発明はｘＤＳＬ回線収容機構及びそれに用いるｘＤＳＬ回線収容方法に関し、特にＡＤＳＬ（Ａｓｙｍｍｅｔｒｉｃ  Ｄｉｇｉｔａｌ  Ｓｕｂｓｃｒｉｂｅｒ  Ｌｉｎｅ）に代表されるｘＤＳＬ（ｘ  Ｄｉｇｉｔａｌ  Ｓｕｂｓｃｒｉｂｅｒ  Ｌｉｎｅ）における回線の収容方法に関する。
【０００２】
【従来の技術】
現在、加入者に対して広帯域インタネット接続を手軽に提供する手段として、ＡＤＳＬサービスがある。ＡＤＳＬサービスを提供するためには、加入者収容電話局にて電話回線とＡＤＳＬ回線とを分離する必要がある。
【０００３】
このため、電話回線とＡＤＳＬ回線との分離にスプリッタが使用されるが、収容したい加入者回線をスプリッタまで取出すためには、これまで接続変更工事が必要である。
【０００４】
具体的には、図４に示すように、ＭＤＦ（Ｍａｉｎ  Ｄｉｓｔｒｉｂｕｔｉｏｎ  Ｆｒａｍｅ：主配線盤）１と呼ばれる配電盤に、接続された加入者宅からのメタル線（加入者回線１０１〜１０６）の中からＡＤＳＬサービスの収容すべき回線を探し、その回線をスプリッタ２に接続変更する工事を行う必要がある（例えば、特許文献１参照）。
【０００５】
ここで、加入者宅からのメタル線（加入者回線１０１〜１０６）は、通常、ＭＤＦ１に接続され、スプリッタ２で分離されたｘＤＳＬ回線１０１ａ〜１０６ａがＡＤＳＬ収容装置であるＤＳＬＡＭ（Ｄｉｇｉｔａｌ  ＳｕｂｓｃｒｉｂｅｒＬｉｎｅ  Ａｃｃｅｓｓ  Ｍｕｌｔｉｐｌｅｘｅｒ）５１〜５３に接続され、スプリッタ２で分離された電話回線１０１ｂ〜１０６ｂが加入者交換機３を介して電話交換網３００に接続される。
【０００６】
このため、ＡＤＳＬサービスを申し込んだユーザはＭＤＦの接続変更工事のために、ＡＤＳＬサービスの開通までに数日の間、待たされることになる。また、ＡＤＳＬ収容装置であるＤＳＬＡＭ５１〜５３は、サービスプロバイダ毎に局舎内に配置されているため、接続会社を変更する際にもＭＤＦ１からの接続変更工事が発生し、やはり開通までの時間と費用とが発生する。
【０００７】
【特許文献１】
特開２００２−２４７１９１号公報（第３頁、図９）
【０００８】
【発明が解決しようとする課題】
上述した従来のｘＤＳＬサービスでは、ユーザがサービスを受けている状態から他のｘＤＳＬサービスプロバイダへの乗換えを行おうとすると、ＤＳＬＡＭがサービスプロバイダ毎に局舎内に配置されているため、接続会社を変更する際にＭＤＦからの接続変更工事が発生し、開通までの時間と費用とが発生するという問題がある。また、ｘＤＳＬサービスプロバイダにとっても収容局に設備を配備する際の運用コストが増加し、参入障壁になるという問題がある。
【０００９】
そこで、本発明の目的は上記の問題点を解消し、ｘＤＳＬサービス申込み時や変更時の接続変更を容易に行うことができるｘＤＳＬ回線収容機構及びそれに用いるｘＤＳＬ回線収容方法を提供することにある。
【００１０】
【課題を解決するための手段】
本発明によるｘＤＳＬ回線収容機構は、スプリッタでｘＤＳＬ（ｘ  Ｄｉｇｉｔａｌ  Ｓｕｂｓｃｒｉｂｅｒ  Ｌｉｎｅ）回線と電話回線とに分離するｘＤＳＬ回線収容機構であって、前記スプリッタで分離された前記ｘＤＳＬ回線をサービスプロバイダのｘＤＳＬ収容装置への出力回線に選択的に接続する回線スイッチを備えている。
【００１１】
本発明によるｘＤＳＬ回線収容方法は、スプリッタでｘＤＳＬ（ｘ  Ｄｉｇｉｔａｌ  Ｓｕｂｓｃｒｉｂｅｒ  Ｌｉｎｅ）回線と電話回線とに分離するｘＤＳＬ回線収容機構のｘＤＳＬ回線収容方法であって、前記スプリッタで分離された前記ｘＤＳＬ回線を回線スイッチに接続し、前記回線スイッチによって前記ｘＤＳＬ回線をサービスプロバイダのｘＤＳＬ収容装置への出力回線に選択的に接続している。
【００１２】
すなわち、本発明のｘＤＳＬ回線収容方法は、電話の加入者収容局舎内のＭＤＦ（Ｍａｉｎ  Ｄｉｓｔｒｉｂｕｔｉｏｎ  Ｆｒａｍｅ：主配線盤）からＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）装置へ接続する際の接続切替え方法を提供するものである。
【００１３】
より具体的に説明すると、本発明のｘＤＳＬ回線収容方法では、ｘＤＳＬサービスの加入者収容において、ｘＤＳＬサービスプロバイダのＤＳＬＡＭ装置への出力回線を切替える回線スイッチを導入することによって、ＤＳＬＡＭへの接続を柔軟に変更することが可能になる。
【００１４】
また、本発明のｘＤＳＬ回線収容方法では、各ＤＳＬＡＭに接続された監視用の回線を収容する回線品質監視端末を導入することによって、ユーザ毎に予め登録された条件に基づいて、ＤＳＬＡＭ接続の切替えを実施するサービスが可能になる。
【００１５】
さらに、本発明のｘＤＳＬ回線収容方法では、登録変更サーバに対して加入者が設定変更を行うことで、回線スイッチの接続変更をユーザの要求に応じて実施するサービスも可能になる。
【００１６】
これによって、本発明のｘＤＳＬ回線収容方法では、ｘＤＳＬ開通サービスまでの時間を短縮し、またｘＤＳＬサービスに付加価値を提供することが可能になる。
【００１７】
上記のように、本発明のｘＤＳＬ回線収容方法では、スプリッタで分離したｘＤＳＬ回線に対して、ｘＤＳＬサービスプロバイダのＤＳＬＡＭ装置への出力回線の接続を切替える物理スイッチを提供することで、ｘＤＳＬサービス申込み時や変更時の接続変更を容易に行うことが可能となる。
【００１８】
また、本発明のｘＤＳＬ回線収容方法では、回線を品質監視し、より空いているｘＤＳＬ接続業者を選択するサービスの提供、あるいはネットワーク障害が発生しているｘＤＳＬ接続業者からネットワークが正常に運用されているｘＤＳＬ接続業者（あるいは正常動作しているＤＳＬＡＭ）に切替えるサービスの提供が可能になる。
【００１９】
【発明の実施の形態】
次に、本発明の実施例について図面を参照して説明する。図１は本発明の一実施例によるｘＤＳＬ収容機構の構成を示すブロック図である。図１において、本発明の一実施例によるｘＤＳＬ収容機構は加入者回線１０１〜１０６を収容するＭＤＦ（Ｍａｉｎ  Ｄｉｓｔｒｉｂｕｔｉｏｎ  Ｆｒａｍｅ：主配線盤）１と、ｘＤＳＬスプリッタ２と、加入者交換機３と、回線（ＤＳＬ）スイッチ４と、異なるｘＤＳＬサービスプロバイダが保有するＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）装置５１〜５３とから構成されている。
【００２０】
加入者宅から局舎までの伝送路であるメタル回線（加入者回線１０１〜１０６）はＭＤＦ１を介して収容される。ＭＤＦ１から取出された回線はｘＤＳＬスプリッタ２によって電話回線１０１ｂ〜１０６ｂとｘＤＳＬ回線１０１ａ〜１０６ａとに分離される。電話回線１０１ｂ〜１０６ｂは加入者交換機３を介して図示せぬ電話交換網に収容され、ｘＤＳＬ回線１０１ａ〜１０６ａは回線スイッチ４を介してＤＳＬＡＭ装置５１〜５３に収容される。
【００２１】
ＭＤＦ１にて収容する加入者回線１０１〜１０６をｘＤＳＬスプリッタ２でｘＤＳＬ回線１０１ａ〜１０６ａと電話回線１０１ｂ〜１０６ｂとに取出した後、ｘＤＳＬ回線１０１ａ〜１０６ａを回線スイッチ４に収容する。
【００２２】
回線スイッチ４では設定に基づいて物理スイッチによって出力回線１０１ｃ〜１０６ｃに切替える。出力回線１０１ｃ〜１０６ｃはｘＤＳＬ収容装置であるＤＳＬＡＭ５１〜５３にそれぞれ接続される。このような接続によって、ｘＤＳＬ回線１０１ａ，１０３ａがＤＳＬＡＭ装置５１に、ｘＤＳＬ回線１０２ａ，１０４ａがＤＳＬＡＭ装置５２に、ｘＤＳＬ回線１０５ａ，１０６ａがＤＳＬＡＭ装置５３にそれぞれ収容される。
【００２３】
ユーザからの開通依頼に基づいて、回線スイッチ４の設定変更を行うことによって、ＤＳＬＡＭ装置５１〜５３への接続変更を実施する。これによって、ＤＳＬＡＭ装置５１〜５３への回線開通が行われる。
【００２４】
したがって、本実施例では、予めＭＤＦ１からの回線をｘＤＳＬスプリッタ２にまとめて引込んでおくことで、ｘＤＳＬサービス設定時や変更時に毎回発生しているＤＳＬＡＭ装置５１〜５３への接続変更工事が不要となる。
【００２５】
図２は本発明の他の実施例によるｘＤＳＬ収容機構の構成を示すブロック図である。図２において、本発明の他の実施例によるｘＤＳＬ収容機構では品質監視端末６を加えた以外は、図１に示す本発明の一実施例によるｘＤＳＬ収容機構と同様の構成となっており、同一構成要素には同一符号を付してある。また、同一構成要素の動作は上述した本発明の一実施例と同様である。
【００２６】
品質監視端末６は各ｘＤＳＬプロバイダが保有するＤＳＬＡＭ装置５１〜５３を通して代表的なインタネットサービスプロバイダまでの回線品質を監視する機能と、回線スイッチ４に対する設定を行う機能とを備え、この目的のために品質監視用回線２０１〜２０３と設定信号２０４とを備えるとともに、ユーザからの切替え判定条件を格納するデータベース（ＤＢ）６１を備えている。
【００２７】
品質監視端末６は局舎内におかれた各ＤＳＬＡＭ装置５１〜５３に接続された監視用回線２０１〜２０３を収容する。図２ではＤＳＬＡＭ装置５１〜５３各々に対してそれぞれ１本の監視用回線２０１〜２０３を示しているが、ＤＳＬＡＭ装置５１〜５３各々に対して複数の監視用回線を収容してもよい。
【００２８】
品質監視端末６では、ｘＤＳＬ利用ユーザと同様に、各ＤＳＬＡＭ装置５１〜５３をもつプロバイダとサービス契約を結ぶことによって、ユーザと同等の接続環境を具備している。
【００２９】
また、品質監視端末６はインタネットを介して接続される品質監視用サーバ（図示せず）への定期的な接続試験によって、ＤＳＬＡＭ装置５１〜５３のうちのどの装置で収容される回線の回線品質が優れているかを監視する。尚、ＤＳＬＡＭ装置５１〜５３を提供するｘＤＳＬサービスプロバイダが同一であっても、インタネット接続のサービスプロバイダが異なる場合には、それぞれの回線品質が異なる場合がある。そこで、このような場合には複数の監視用回線を一つのＤＳＬＡＭ装置５１〜５３に収容し、それぞれ異なるインタネット接続のサービスプロバイダと接続しておくことで監視を行う。あるいは、一つの監視用回線を使用し、定期的に接続先のサービスプロバイダを切替えて試験することで、それぞれの回線品質をモニタしてもよい。
【００３０】
このようなサービスを享受するために、ユーザは予め回線スイッチ４のサービス提供者に対し、切替え対象となる複数のｘＤＳＬプロバイダ、インタネット接続のサービスプロバイダ、切替え条件をデータベース６１に登録しておく。
【００３１】
切替え条件としては障害発生時、使用可能帯域が一定値以上になった時、スケジュールによる切替え条件等が挙げられる。品質監視端末６は回線品質と登録情報とを比較し、ユーザの切替え条件に一致した時に回線スイッチ４の設定を変更し、ＤＳＬＡＭ装置５１〜５３の収容変更を行う。
【００３２】
図３は本発明の別の実施例によるｘＤＳＬ収容機構の構成を示すブロック図である。図３において、本発明の別の実施例によるｘＤＳＬ収容機構では回線スイッチ制御端末８と設定サーバ９とを加えた以外は、図１に示す本発明の一実施例によるｘＤＳＬ収容機構と同様の構成となっており、同一構成要素には同一符号を付してある。また、同一構成要素の動作は上述した本発明の一実施例と同様である。
【００３３】
設定サーバ９は加入者端末７との間のインタネット通信路を介して、回線スイッチ４の設定要求を受付ける。設定サーバ９は受付けた内容に基づいて回線スイッチ制御端末８に対して設定要求を発行する。
【００３４】
この図３を用いて本発明の別の実施例によるオンデマンドの接続変更サービス処理について説明する。加入者端末７は加入者交換機３からダイヤルアップ接続によって設定サーバ９に接続可能としておく。この接続はインタネット接続なので、ｘＤＳＬ回線によるインタネット接続のみでもよいが、ｘＤＳＬ回線１０１ａが不通になった時を考慮してダイヤルアップ接続の経路を確保しておく。
【００３５】
ユーザはｘＤＳＬ設定変更を行いたい場合に、加入者端末７を設定サーバ９に接続し、切替え要求の発行を行う。設定サーバ９は加入者端末７からの要求を受領すると、回線スイッチ制御端末８に対して回線スイッチ４の設定変更コマンドを発行する。設定変更コマンドは管理用ネットワーク回線を通じて回線スイッチ制御端末８に対して通知される。回線スイッチ制御端末８では即時実行であれば、回線スイッチ４の変更を行い、また切替え条件の登録であれば、図示せぬ品質監視端末が使用するデータベースの内容を変更する。
【００３６】
このほかの利用例として、ＤＳＬＡＭ収容ポートの最適化処理が挙げられる。ｘＤＳＬの一例であるＡＤＳＬでは、その変調方式によって短距離で性能を発揮しかつ広帯域を提供するもの、中距離まで性能がありかつ中帯域を提供するもの、長距離の悪条件下で可能な限り帯域を提供するもの等がある。
【００３７】
同一のＡＤＳＬサービスプロバイダが提供するＤＳＬＡＭ装置５１〜５３への収容であっても、本実施例による回線スイッチ４では加入者回線１０１の品質に応じて接続先を切替えることが容易であるため、よりよいサービスを提供することが可能になる。
【００３８】
このように、本発明によるｘＤＳＬ回線収容方法では、ｘＤＳＬスプリッタ２で分離したｘＤＳＬ回線１０１ａ〜１０６ａに対する回線スイッチ４（物理スイッチ）を提供することで、ｘＤＳＬサービス申込み時や変更時の接続変更を容易に行うことができる。
【００３９】
また、本発明によるｘＤＳＬ回線収容方法では、回線を品質監視し、より空いているｘＤＳＬ接続業者を選択するサービスの提供や、あるいはネットワーク障害が発生しているｘＤＳＬ接続業者からネットワークが正常に運用されているｘＤＳＬ接続業者（あるいは正常動作しているＤＳＬＡＭ）に切替えるサービスの提供が可能になる。
【００４０】
尚、上述した本発明の一実施例、他の実施例、別の実施例では、図１〜図３に示すように、その構成がそれぞれ単独でも、組合わせた構成でも、構成に応じてサービスが可能であり、構成の組合わせについては限定されない。
【００４１】
【発明の効果】
以上説明したように本発明は、スプリッタでｘＤＳＬ回線と電話回線とに分離するｘＤＳＬ回線収容機構において、スプリッタで分離されたｘＤＳＬ回線を回線スイッチに接続し、回線スイッチによってｘＤＳＬ回線をサービスプロバイダのｘＤＳＬ収容装置への出力回線に選択的に接続することによって、ｘＤＳＬサービス申込み時や変更時の接続変更を容易に行うことができるという効果が得られる。
【図面の簡単な説明】
【図１】本発明の一実施例によるｘＤＳＬ収容機構の構成を示すブロック図である。
【図２】本発明の他の実施例によるｘＤＳＬ収容機構の構成を示すブロック図である。
【図３】本発明の別の実施例によるｘＤＳＬ収容機構の構成を示すブロック図である。
【図４】従来例によるｘＤＳＬ収容機構の構成を示すブロック図である。
【符号の説明】
１  ＭＤＦ
２  ｘＤＳＬスプリッタ
３  加入者交換機
４  回線スイッチ
６  品質監視端末
７  加入者端末
８  回線スイッチ制御端末
９  設定サーバ
５１〜５３  ＤＳＬＡＭ装置
１０１〜１０６  加入者回線
１０１ａ〜１０６ａ  ｘＤＳＬ回線
１０１ｂ〜１０６ｂ  電話回線
１０１ｃ〜１０６ｃ  出力回線
【図１】
2004193915.tif 000003
【図２】
2004193915.tif 000004
【図３】
2004193915.tif 000005
【図４】
2004193915.tif 000006